Podtech/llm-jp-corpus-v4-ja_patent huggingface dataset:
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技盤に視認可能に配置された発光手段と、該発光手段に駆動信号を出力して発光させる駆動基板と、パチンコ島設備から供給される電力から種々の電圧を作成する電源基板と、を備える遊技機であって、
前記電源基板は、少なくとも、
前記発光手段に供給する電圧を作成する第１の発光用電圧作成回路と、
該第１の発光電圧作成回路で作成する電圧より高い電圧を作成する高電圧作成回路と、
を備え、
前記駆動基板は、少なくとも、
前記高電圧作成回路で作成した電圧から前記発光手段に供給する電圧を、前記第１の発光用電圧作成回路で作成した電圧と同じ電圧に作成する第２の発光用電圧作成回路
を備え、
当該駆動基板は、前記第１の発光用電圧作成回路で作成した電圧で前記発光手段を発光させるとともに、前記第２の発光用電圧作成回路で作成した電圧で前記発光手段を発光させることを特徴とする遊技機。
【請求項２】
請求項１に記載の遊技機であって、
遊技の進行を制御するマイクロプロセッサが搭載される制御基板と、
前記マイクロプロセッサに内蔵されたＲＡＭを消去するＲＡＭクリアスイッチと、
を備え、
前記発光手段は、前記遊技盤の所定位置にグループ化されて複数配置され、かつ、前記第１の発光用電圧作成回路又は前記第２の発光用電圧作成回路で作成した電圧がグループごとに対応付けて供給され、
前記駆動基板は、前記ＲＡＭクリアスイッチが操作された際、前記遊技盤の所定位置にグループ化された前記発光手段に、そのグループごとに対応付けた、前記第１の発光用電圧作成回路又は前記第２の発光用電圧作成回路で作成した電圧を順次供給して発光させることを特徴とする遊技機。
【手続補正２】
【補正対象書類名】明細書
【補正対象項目名】００２１
【補正方法】変更
【補正の内容】
【００２１】
本発明の請求項１においては、パチンコ島設備の温度上昇の抑制に寄与することができる。請求項２においては、熱による発光手段の破損を防止することができる。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
表示手段と、
遊技者が操作し得るプレーヤキャラクタを仮想空間内で生成するプレーヤキャラクタ生成手段と、
前記仮想空間内で、遊技者が前記プレーヤキャラクタを操作するキャラクタ操作手段と、
遊技者の選択操作によって捕獲対象を設定する捕獲対象設定手段と、
前記捕獲対象設定手段によって設定された捕獲対象をターゲットキャラクタとして前記仮想空間内に生成するターゲットキャラクタ生成手段と、
前記ターゲットキャラクタを所定の規則に基づいて移動させるターゲットキャラクタ第１移動手段と、
前記仮想空間内に仮想視野角を設定する仮想視野設定手段と、
前記仮想視野の画像を前記表示手段に出力するゲーム画像生成手段と、
前記ターゲットキャラクタが前記仮想視野から外れたときに、前記ターゲットキャラクタを前記視野内に戻すターゲットキャラクタ第２移動手段と、
を備えたゲーム装置。
【請求項２】
前記仮想空間内で、前記プレーヤキャラクタが前記ターゲットキャラクタに所定距離よりも接近したときに、前記ターゲットキャラクタを、前記ターゲットキャラクタに設定された移動速度パラメータと、大きさのパラメータに基づいて設定された移動速度および上下左右方向の移動範囲内で移動させるターゲットキャラクタ第３移動手段を、さらに備えた請求項１記載のゲーム装置。
【請求項３】
前記仮想空間内で、前記ターゲットキャラクタが前記プレーヤキャラクタから所定距離以上離れたときに、前記ターゲットキャラクタを前記プレーヤキャラクタから該所定距離以内の位置に移動させるターゲットキャラクタ第４移動手段を、さらに備えた請求項１または２に記載のゲーム装置。
【請求項４】
前記ターゲットキャラクタの大きさに応じて、該ターゲットキャラクタの移動を設定する領域設定手段をさらに備え、
前記ターゲットキャラクタ生成手段は、領域設定手段によって設定された領域内に、前記ターゲットキャラクタを生成する請求項１乃至３のいずれかに記載のゲーム装置。
【請求項５】
前記捕獲キャラクタ記憶手段に記憶された前記ターゲットキャラクタのデータに基づいて、捕獲されたターゲットキャラクタ群が仮想空間内に配置された様子を所定の視点位置から見た捕獲キャラクタ閲覧画面を生成する捕獲キャラクタ閲覧画面生成手段を、
さらに備えた請求項１乃至４のいずれかに記載のゲーム装置。
【請求項６】
前記仮想空間内に、前記仮想空間内で移動する背景キャラクタを生成する背景キャラクタ生成手段をさらに備え、
前記背景キャラクタ生成手段は、前記ターゲットキャラクタの大きさに対応した大きさに応じて、前記領域設定手段が前記ターゲットキャラクタについて設定した領域内で、前記背景キャラクタを生成する請求項４乃至５のいずれかに記載のゲーム装置。
【請求項７】
前記背景キャラクタ生成手段は、前記背景キャラクタの中に、前記ターゲットキャラクタと同種の背景キャラクタが存在するときに、当該背景キャラクタを前記仮想視野外に移動させる、請求項６記載のゲーム装置。
【請求項８】
前記捕獲対象の種類、大きさの情報を含む捕獲対象情報を記録した記憶媒体から該捕獲対象キャラクタ情報を読み出す捕獲対象情報読み出し手段を更に備え、
前記捕獲対象設定手段は、該捕獲対象情報読み出し手段から読み出された捕獲対象情報に基づいて、捕獲対象を設定する、
請求項１乃至７のいずれかに記載のゲーム装置。
【請求項９】
前記プレーヤキャラクタは、遊技者が操作し得る第１、第２プレーヤキャラクタを含み、前記プレーヤキャラクタ生成手段は、第１、第２プレーヤキャラクタを仮想空間内でそれぞれ生成する第１、第２プレーヤキャラクタ生成手段を含み、前記キャラクタ操作手段は、前記第１、第２プレーヤキャラクタを操作可能な、請求項１１記載のゲーム装置であって、
前記第２プレーヤキャラクタ生成手段は、捕獲対象情報に基づいて前記第２プレーヤキャラクタを生成し、
前記捕獲対象情報読み出し手段が前記捕獲対象情報を読み取ったときに、前記第１プレーヤキャラクタを前記第２プレーヤキャラクタに変化させるキャラクタ切替手段と、
をさらに備えた請求項１乃至８のいずれかに記載のゲーム装置。
【請求項１０】
前記捕獲判定手段によって、前記ターゲットキャラクタを捕獲したと判定したときには、前記キャラクタ切替手段は、前記ターゲットキャラクタが前記遊技者仮想空間内に出現する際に、前記第２プレーヤキャラクタを第１プレーヤキャラクタに戻すようになっている請求項９記載のゲーム装置。
【請求項１１】
表示手段と、仮想空間内に仮想野角を設定する仮想視野設定手段と、前記仮想視野の画像を前記表示手段に出力するゲーム画像生成手段と、遊技者が操作し得るプレーヤキャラクタを前記仮想空間内で生成するプレーヤキャラクタ生成手段と、前記仮想空間内で、遊技者が前記プレーヤキャラクタを操作するキャラクタ操作手段と、を備えたゲーム装置のための、ゲームプログラムであって、
前記プレーヤキャラクタ生成手段によって前記プレーヤキャラクタを前記仮想空間内で生成するプレーヤキャラクタ生成ステップと、
前記キャラクタ操作手段の操作に呼応して、前記プレーヤキャラクタを操作するキャラクタ操作ステップと、
遊技者の選択操作に呼応して、捕獲対象を設定する捕獲対象設定ステップと、
前記捕獲対象設定ステップによって設定された捕獲対象をターゲットキャラクタとして前記仮想空間内に生成するターゲットキャラクタ生成ステップと、
前記ターゲットキャラクタを所定の規則に基づいて移動させるターゲットキャラクタ第１移動ステップと、
前記仮想視野の画像を表示手段に出力するゲーム画像生成ステップと、
前記ターゲットキャラクタが前記仮想視野から外れたときに、前記ターゲットキャラクタを前記視野内に戻すターゲットキャラクタ第２移動ステップと、
を備えたゲームプログラム。
【請求項１２】
請求項１１記載のゲームプログラムが記憶されたコンピュータ読み取り可能な記憶媒体。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
被検体の内部に配置され、前記被検体の内部の情報を取得する情報取得部を具備したカプセル型医療装置において、
前記カプセル型医療装置の表面に配置され、前記情報取得部が取得した前記情報を前記被検体の外部に対して出力するための通信が可能な複数の通信用電極と、
前記情報取得部が取得した前記情報に応じて出力される電気信号を、前記通信用電極間に電位差を生じさせて駆動させるための電極駆動信号に変換して出力する信号変換部と、
前記電極駆動信号の出力状態を選択的に切り替える信号出力切替部と、
前記電気信号の出力状態に基づき、前記電気信号が出力されていない期間に前記電極駆動信号の出力を停止させるための制御を前記信号出力切替部に対して行う信号切替制御部と、
を有することを特徴とするカプセル型医療装置。
【請求項２】
さらに、前記信号切替制御部は、前記電気信号の出力状態に基づいて前記信号出力切替部を制御することにより、前記電気信号が出力されていない期間に、前記通信用電極各々の電位を所定の電位に設定するための信号を出力させる制御を行うことを特徴とする請求項１に記載のカプセル型医療装置。
【請求項３】
被検体の内部に配置され、前記被検体の内部の情報を取得する情報取得部を具備したカプセル型医療装置において、
前記カプセル型医療装置の表面に配置され、前記情報取得部が取得した前記情報を前記被検体の外部に対して出力する複数の通信用電極と、
前記通信用電極間に電位差を生じさせて駆動させるための電極駆動信号を出力する信号出力部と、
前記信号出力部から前記通信用電極へ前記電極駆動信号を出力可能な接続状態と、前記信号出力部から前記通信用電極への前記電極駆動信号が出力されない非接続状態とを切り替える信号出力切替部と、
前記接続状態にある前記信号出力切替部から出力される前記電極駆動信号の出力状態を検出し、前記出力状態が所定期間以上変動停止状態にある際に停止信号を出力する信号検出部と、
前記停止信号が入力された際に前記信号出力切替部を前記接続状態から前記非接続状態へ切り替える信号切替制御部と、
を有することを特徴とするカプセル型医療装置。
【請求項４】
前記非接続状態において、前記通信用電極各々の電位が所定の電位に設定されることを特徴とする請求項３に記載のカプセル型医療装置。
【請求項５】
前記所定の電位は、接地電位であることを特徴とする請求項２又は４に記載のカプセル型医療装置。
【手続補正２】
【補正対象書類名】明細書
【補正対象項目名】００１０
【補正方法】変更
【補正の内容】
【００１０】
本発明における第３のカプセル型医療装置は、被検体の内部に配置され、前記被検体の内部の情報を取得する情報取得部を具備したカプセル型医療装置において、前記カプセル型医療装置の表面に配置され、前記情報取得部が取得した前記情報を前記被検体の外部に対して出力する複数の通信用電極と、前記通信用電極間に電位差を生じさせて駆動させるための電極駆動信号を出力する信号出力部と、前記信号出力部から前記通信用電極へ前記電極駆動信号を出力可能な接続状態と、前記信号出力部から前記通信用電極への前記電極駆動信号が出力されない非接続状態とを切り替える信号出力切替部と、前記接続状態にある前記信号出力切替部から出力される前記電極駆動信号の出力状態を検出し、前記出力状態が所定期間以上変動停止状態にある際に停止信号を出力する信号検出部と、前記停止信号が入力された際に前記信号出力切替部を前記接続状態から前記非接続状態へ切り替える信号切替制御部と、を有することを特徴とする。
【手続補正書】
【提出日】平成21年5月29日(2009.5.29)
【手続補正１】
【補正対象書類名】特許請求の範囲
【補正対象項目名】請求項１
【補正方法】変更
【補正の内容】
【請求項１】
遊技球が流下可能な遊技領域を有する遊技盤と、前記遊技盤の裏側に配設され、特別図柄を変動表示可能な特別図柄表示装置と、前記遊技盤の遊技領域に配設され、開口部を介して前記特別図柄表示装置の表示面が後方から臨む枠状の装飾部材と、前記遊技盤に配設されて前記装飾部材の下方に位置し、前記遊技領域を流下する遊技球が入賞可能で、入賞により前記特別図柄表示装置での特別図柄の変動を開始させる始動入賞装置と、前記遊技盤に配設されて、前記特別図柄表示装置での特別図柄の変動結果に応じて開放して前記遊技領域を流下する遊技球が入賞可能な特別入賞装置と、普通図柄表示部における普通図柄の表示結果に基づいて前記始動入賞装置の入賞口を開放または拡大する開閉部材とを備えた遊技機において、
前記装飾部材は、
前記装飾部材の側部に設けられ、前記遊技領域を流下する遊技球が上方から通過可能で、遊技球の通過により前記普通図柄表示部での普通図柄の変動を開始させる普通図柄作動口と、
前記普通図柄作動口より前記開口部側に隣接して設けられて該普通図柄作動口との間を遊技球が通過不能な間隔で位置し、前記遊技領域を流下する遊技球が上方から通過可能な第１球入口と、
前記装飾部材の側部に設けられて前記第１球入口の下方に位置し、該第１球入口を通過した遊技球を受ける球受け部と、
前記球受け部に設けられ、前記遊技領域を流下する遊技球が側方から通過可能な第２球入口と、
前記装飾部材の側部に設けられて前記球受け部に連通し、前記第１球入口または第２球入口を通過した遊技球を案内する球案内通路と、
前記装飾部材の下部に形成されて前記球案内通路に連通し、該球案内通路から到来した遊技球を前記遊技領域へ排出するステージとを備える
ことを特徴とする遊技機。
【手続補正２】
【補正対象書類名】明細書
【補正対象項目名】０００６
【補正方法】変更
【補正の内容】
【０００６】
前記課題を克服し、所期の目的を好適に達成するため、請求項１に係る遊技機は、
遊技球(P)が流下可能な遊技領域(21)を有する遊技盤(20)と、前記遊技盤(20)の裏側に配設され、特別図柄を変動表示可能な特別図柄表示装置(30)と、前記遊技盤(20)の遊技領域(21)に配設され、開口部(39)を介して前記特別図柄表示装置(30)の表示面(31)が後方から臨む枠状の装飾部材(37)と、前記遊技盤(20)に配設されて前記装飾部材(37)の下方に位置し、前記遊技領域(21)を流下する遊技球(P)が入賞可能で、入賞により前記特別図柄表示装置(30)での特別図柄の変動を開始させる始動入賞装置(23)と、前記遊技盤(20)に配設されて、前記特別図柄表示装置(30)での特別図柄の変動結果に応じて開放して前記遊技領域(21)を流下する遊技球(P)が入賞可能な特別入賞装置(28)と、普通図柄表示部(46)における普通図柄の表示結果に基づいて前記始動入賞装置(23)の入賞口を開放または拡大する開閉部材(26)とを備えた遊技機において、
前記装飾部材(37)は、
前記装飾部材(37)の側部に設けられ、前記遊技領域(21)を流下する遊技球(P)が上方から通過可能で、遊技球(P)の通過により前記普通図柄表示部(46)での普通図柄の変動を開始させる普通図柄作動口(52)と、
前記普通図柄作動口(52)より前記開口部(39)側に隣接して設けられて該普通図柄作動口(52)との間を遊技球(P)が通過不能な間隔で位置し、前記遊技領域(21)を流下する遊技球(P)が上方から通過可能な第１球入口(54)と、
前記装飾部材(37)の側部に設けられて前記第１球入口(54)の下方に位置し、該第１球入口(54)を通過した遊技球(P)を受ける球受け部(58)と、
前記球受け部(58)に設けられ、前記遊技領域(21)を流下する遊技球(P)が側方から通過可能な第２球入口(59)と、
前記装飾部材(37)の側部に設けられて前記球受け部(58)に連通し、前記第１球入口(54)または第２球入口(59)を通過した遊技球(P)を案内する球案内通路(61)と、
前記装飾部材(37)の下部に形成されて前記球案内通路(61)に連通し、該球案内通路(61)から到来した遊技球(P)を前記遊技領域(21)へ排出するステージ(65)とを備えることを特徴とする。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
振動波モータと、
前記振動波モータに駆動周波信号を印加する駆動周波信号印加手段と、
前記駆動周波信号印加手段を制御する制御手段を有し、
前記制御手段は、前記振動波モータの停止時間が第１の規定時間に達している場合、前記振動波モータにより移動される移動物体を可動範囲の端部まで移動させ、前記移動物体を前記端部に突き当てた状態で、前記振動波モータに駆動周波信号を印加するよう前記駆動周波信号印加手段を制御することを特徴とする駆動装置。
【請求項２】
前記制御手段は、前記移動物体を前記端部に突き当てた状態での前記駆動周波信号の印加時間が第２の規定時間に達すると、前記移動物体を元の位置に復帰させるよう前記駆動周波信号印加手段を制御することを特徴とする請求項１に記載の駆動装置。
【請求項３】
温度または湿度の少なくともいずれかを検出する検出手段を有し、
前記制御手段は、前記温度または湿度の少なくともいずれかの情報により、前記第１の規定時間、前記第２の規定時間および前記駆動周波信号の少なくとも１つの数値を変更することを特徴とする請求項２に記載の駆動装置。
【請求項４】
前記制御手段は、前記移動物体を前記端部に突き当てた状態で前記駆動周波信号を印加している間に前記振動波モータの回転命令が発せられた場合、前記移動物体を前記端部に突き当てた状態での前記駆動周波信号の印加を中断し、前記回転命令に従うことを特徴とする請求項２または３に記載の駆動装置。
【請求項５】
前記制御手段は、前記移動物体を前記端部に突き当てた状態で前記駆動周波信号を印加している間に前記回転命令が発せられた場合であっても、前記駆動周波信号の印加時間が前記第２の規定時間に達していない場合には、前記印加時間が前記第２の規定時間に達するまで前記移動物体を前記端部に突き当てた状態で前記駆動周波信号を印加してから、前記回転命令に従うことを特徴とする請求項４に記載の駆動装置。
【請求項６】
前記制御手段は、前記移動物体を前記端部に突き当てた状態で前記駆動周波信号を印加している間に前記回転命令が発せられた場合であっても、前記駆動周波信号の印加時間が前記第２の規定時間よりも短い第３の規定時間に達していない場合には、前記印加時間が前記第３の規定時間に達するまで前記移動物体を前記端部に突き当てた状態で前記駆動周波信号を印加してから、前記回転命令に従うことを特徴とする請求項４に記載の駆動装置。
【請求項７】
振動波モータと、前記振動波モータに駆動周波信号を印加する駆動周波信号印加手段とを備える駆動装置の制御方法において、
前記振動波モータの停止時間が第１の規定時間に達している場合、前記振動波モータにより移動される移動物体を可動範囲の端部まで移動させ、前記移動物体を前記端部に突き当てた状態で、前記振動波モータに駆動周波信号を印加するよう前記駆動周波信号印加手段を制御することを特徴とする駆動装置の制御方法。
【請求項８】
請求項７に記載された駆動装置の制御方法をコンピュータに実行させるためのプログラムコードが記載されたプログラム。
【手続補正２】
【補正対象書類名】明細書
【補正対象項目名】発明の名称
【補正方法】変更
【補正の内容】
【発明の名称】駆動装置、その制御方法、及びプログラム
【手続補正３】
【補正対象書類名】明細書
【補正対象項目名】００１９
【補正方法】変更
【補正の内容】
【００１９】
上記目的を達成するために、請求項１に記載の駆動装置は、振動波モータと、前記振動波モータに駆動周波信号を印加する駆動周波信号印加手段と、前記駆動周波信号印加手段を制御する制御手段を有し、前記制御手段は、前記振動波モータの停止時間が第１の規定時間に達している場合、前記振動波モータにより移動される移動物体を可動範囲の端部まで移動させ、前記移動物体を前記端部に突き当てた状態で、前記振動波モータに駆動周波信号を印加するよう前記駆動周波信号印加手段を制御することを特徴とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
本発明の駆動装置は、振動波モータの停止時間が第１の規定時間に達している場合、振動波モータにより移動される移動物体を可動範囲の端部まで移動させ、移動物体を端部に突き当てた状態で、振動波モータに駆動周波信号を印加するよう制御する。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
入力された画像信号に対して対象画素の周囲の画素を用いた所定の空間処理を行い、処
理信号を出力する空間処理部と、
視覚処理の効果を設定するための効果調整信号に応じて、前記処理信号を補正した修正信号を出力する効果調整部と、
前記修正信号と前記画像信号を入力とし、前記画像信号に対して視覚処理を行い出力信号を出力する視覚処理部と、
を備え、
前記視覚処理部は、
前記画像信号の値を所定のレベルに固定した場合に前記修正信号の値に対して前記出力信号の値が単調減少特性となる階調変換特性を持つ視覚処理を行う、
視覚処理装置。
【請求項２】
前記視覚処理部は、
前記修正信号と前記画像信号に応じて、ゲイン信号を出力するゲイン信号出力部と、
前記ゲイン信号に基づいて前記画像信号を補正し出力信号として出力する補正部と、
を有する、
請求項１に記載の視覚処理装置。
【請求項３】
所定の目標レベルを設定する目標レベル設定部
をさらに備え、
前記効果調整部は、前記効果調整信号に応じて、前記所定の目標レベルと前記処理信号とを合成した修正信号を出力する、
請求項1または請求項２に記載の視覚処理装置。
【請求項４】
前記効果調整部は、前記効果調整信号に応じて前記画像信号と前記処理信号とを合成した修正信号を出力する、
請求項1または請求項２に記載の視覚処理装置。
【請求項５】
前記効果調整信号を出力する効果調整信号発生部をさらに備え、
前記効果調整信号発生部は、
前記画像信号から画像特徴量を抽出し、検出された前記画像特徴量に応じて前記効果調整信号を発生させる、
請求項1から４のいずれか１項に記載の視覚処理装置。
【請求項６】
前記効果調整信号発生部は、前記画像信号から画像パターンを抽出し、検出された前記画像パターンに応じて前記効果調整信号を発生させる、
請求項５に記載の視覚処理装置。
【請求項７】
前記効果調整信号発生部は、前記画像信号から画像濃淡度を抽出し、検出された前記画像濃淡度に応じて前記効果調整信号を発生させる、
請求項５に記載の視覚処理装置。
【請求項８】
前記効果調整信号発生部は、前記画像信号から色情報を抽出し、検出された前記色情報に応じて前記効果調整信号を発生させる、
請求項５に記載の視覚処理装置。
【請求項９】
入力された画像信号に対して対象画素の周囲の画素を用いた所定の空間処理を行い、処
理信号を出力する空間処理部と、
視覚処理の効果を設定するための効果調整信号に応じて、前記処理信号を補正した修正信号を出力する効果調整部と、
前記修正信号と前記画像信号を入力とし、前記画像信号に対して視覚処理を行い出力信号を出力する視覚処理部と
前記出力信号を表示する表示部と
を備え、
前記視覚処理部は、
前記画像信号の値を所定のレベルに固定した場合に前記修正信号の値に対して前記出力信号の値が単調減少特性となる階調変換特性を持つ視覚処理を行う、
画像表示装置。
【請求項１０】
映像信号を受信する受信部と、
前記映像信号を復号し画像信号を出力する復号部と、
前記画像信号に対して対象画素の周囲の画素を用いた所定の空間処理を行い、処
理信号を出力する空間処理部と、
視覚処理の効果を設定するための効果調整信号に応じて、前記処理信号を補正した修正信号を出力する効果調整部と、
前記修正信号と前記画像信号を入力とし、前記画像信号に対して視覚処理を行い出力信号を出力する視覚処理部と
前記出力信号を表示する表示部と
を備え、
前記視覚処理部は、
前記画像信号の値を所定のレベルに固定した場合に前記修正信号の値に対して前記出力信号の値が単調減少特性となる階調変換特性を持つ視覚処理を行う、
テレビジョン。
【請求項１１】
映像信号を受信する受信部と、
前記映像信号を復号し画像信号を出力する復号部と、
前記画像信号に対して対象画素の周囲の画素を用いた所定の空間処理を行い、処
理信号を出力する空間処理部と、
視覚処理の効果を設定するための効果調整信号に応じて、前記処理信号を補正した修正信号を出力する効果調整部と、
前記修正信号と前記画像信号を入力とし、前記画像信号に対して視覚処理を行い出力信号を出力する視覚処理部と
前記出力信号を表示する表示部と
を備え、
前記視覚処理部は、
前記画像信号の値を所定のレベルに固定した場合に前記修正信号の値に対して前記出力信号の値が単調減少特性となる階調変換特性を持つ視覚処理を行う、
携帯情報端末。
【請求項１２】
画像を撮影して画像信号を生成する撮影部と、
前記画像信号に対して対象画素の周囲の画素を用いた所定の空間処理を行い、処
理信号を出力する空間処理部と、
視覚処理の効果を設定するための効果調整信号に応じて、前記処理信号を補正した修正信号を出力する効果調整部と、
前記修正信号と前記画像信号を入力とし、前記画像信号に対して視覚処理を行い出力信号を出力する視覚処理部と、
を備え、
前記視覚処理部は、
前記画像信号の値を所定のレベルに固定した場合に前記修正信号の値に対して前記出力信号の値が単調減少特性となる階調変換特性を持つ視覚処理を行う、
カメラ。
【請求項１３】
入力された画像信号に対して対象画素の周囲の画素を用いた所定の空間処理を行い、処
理信号を出力する空間処理ステップと、
視覚処理の効果を設定するための効果調整信号に応じて、前記処理信号を補正した修正信号を出力する効果調整ステップと、
前記修正信号と前記画像信号を入力とし、前記画像信号に対して視覚処理を行い出力信号を出力する視覚処理ステップと、
を含み、
前記視覚処理ステップは、
前記画像信号の値を所定のレベルに固定した場合に前記修正信号の値に対して前記出力信号の値が単調減少特性となる階調変換特性を持つ視覚処理を行う、
視覚処理方法。
【請求項１４】
画像出力装置に用いられる集積回路であって、
入力された画像信号に対して対象画素の周囲の画素を用いた所定の空間処理を行い、処
理信号を出力する空間処理ステップと、
視覚処理の効果を設定するための効果調整信号に応じて、前記処理信号を補正した修正信号を出力する効果調整ステップと、
前記修正信号と前記画像信号を入力とし、前記画像信号に対して視覚処理を行い出力信号を出力する視覚処理ステップと、
を実行し、
前記視覚処理ステップは、
前記画像信号の値を所定のレベルに固定した場合に前記修正信号の値に対して前記出力信号の値が単調減少特性となる階調変換特性を持つ視覚処理を行う、
画像出力装置に用いられる集積回路。
【請求項１５】
コンピュータにより視覚処理を行う画像処理プログラムであって、
入力された画像信号に対して対象画素の周囲の画素を用いた所定の空間処理を行い、処
理信号を出力する空間処理ステップと、
視覚処理の効果を設定するための効果調整信号に応じて、前記処理信号を補正した修正信号を出力する効果調整ステップと、
前記修正信号と前記画像信号を入力とし、前記画像信号に対して視覚処理を行い出力信号を出力する視覚処理ステップと、
を実行し、
前記視覚処理ステップは、
前記画像信号の値を所定のレベルに固定した場合に前記修正信号の値に対して前記出力信号の値が単調減少特性となる階調変換特性を持つ視覚処理をコンピュータに行わせる、
画像処理プログラム。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
画像データを符号化してビットストリームを生成する符号化手段と、
前記ビットストリームがエンコーダバッファに供給される時刻からどれだけ遅延した後に前記ビットストリームがデコーダバッファに供給されるかを示す遅延時間情報を生成する生成手段と、
前記生成手段により生成された前記遅延時間情報を、前記符号化手段により生成されたビットストリームに多重化する多重化手段と、
を備える符号化装置。
【請求項２】
前記生成手段は、前記ビットストリームが前記デコーダバッファに供給されてからどれだけ遅延した後に当該ビットストームが復号されるかを示す前記遅延時間情報を生成し、
前記多重化手段は、前記生成手段により生成された前記遅延時間情報を、前記符号化手段により生成されたビットストリームに多重化する、
請求項１に記載の符号化装置。
【請求項３】
画像データを符号化してビットストリームを生成する符号化工程と、
前記ビットストリームがエンコーダバッファに供給される時刻からどれだけ遅延した後に前記ビットストリームがデコーダバッファに供給されるかを示す遅延時間情報を生成する生成工程と、
前記生成工程において生成された前記遅延時間情報を、前記符号化工程において生成されたビットストリームに多重化する多重化工程と、
を備える符号化方法。
【手続補正２】
【補正対象書類名】明細書
【補正対象項目名】発明の名称
【補正方法】変更
【補正の内容】
【発明の名称】符号化装置と符号化方法
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
多値画像データを符号化する画像符号化装置であって、
符号化対象の多値画像データから、非可逆符号化の対象となるブロック単位の画像データを入力する入力手段と、
入力したブロックの画像データ中の、文字線画の画素の色を示す色情報を抽出する抽出手段と、
該抽出手段で抽出した色情報を、予めメモリに格納された参照テーブルを用いて色コードに変換する色コード変換手段と、
前記抽出手段で抽出した色情報に従い、注目ブロック内の文字線画の画素の位置と、非文字線画の画素の位置とを識別するための位置情報を生成する位置情報生成手段と、
該位置情報生成手段で生成された位置情報を可逆符号する可逆符号化手段と、
前記位置情報生成手段で生成された位置情報に従って、文字線画の画素の値を置換するため、非文字線画の画素の値の平均値を置換値として算出する置換値算出手段と、
注目ブロック内の文字線画の画素の値を、前記置換値で置換する置換手段と、
置換後のブロックの画像データを非可逆符号化する非可逆符号化手段と、
前記色コード、前記可逆符号化手段により生成された位置情報の符号化データ、及び、前記非可逆符号化手段により生成された画像データの符号化データを多重化し、出力する多重化手段と
を備えることを特徴とする画像符号化装置。
【請求項２】
前記抽出手段は、ブロック内の最頻の色を文字線画の画素の色として抽出することを特徴とする請求項１に記載の画像符号化装置。
【請求項３】
更に、符号化対象の画像データを解析し、出現頻度の高い順であって、予め設定された個数の、色情報及び色コードを、前記参照テーブルとして前記メモリに格納する手段を備えることを特徴とする請求項１に記載の画像符号化装置。
【請求項４】
前記可逆符号化手段はランレングス符号化に従って位置情報を符号化し、前記非可逆符号化手段はＪＰＥＧ符号化に従ってブロックの画像データを符号化することを特徴とする請求項１に記載の画像符号化装置。
【請求項５】
多値画像データを符号化する画像符号化装置の制御方法であって、
入力手段が、符号化対象の多値画像データから、非可逆符号化の対象となるブロック単位の画像データを入力する入力工程と、
抽出手段が、入力したブロックの画像データ中の、文字線画の画素の色を示す色情報を抽出する抽出工程と、
色コード変換手段が、該抽出工程で抽出した色情報を、予めメモリに格納された参照テーブルを用いて色コードに変換する色コード変換工程と、
位置情報生成手段が、前記抽出工程で抽出した色情報に従い、注目ブロック内の文字線画の画素の位置と、非文字線画の画素の位置とを識別するための位置情報を生成する位置情報生成工程と、
可逆符号化手段が、該位置情報生成工程で生成された位置情報を可逆符号する可逆符号化工程と、
置換値算出手段が、前記位置情報生成工程で生成された位置情報に従って、文字線画の画素の値を置換するため、非文字線画の画素の値の平均値をの置換値として算出する置換値算出工程と、
置換手段が、注目ブロック内の文字線画の画素の値を、前記置換値で置換する置換工程と、
非可逆符号化手段が、置換後のブロックの画像データを非可逆符号化する非可逆符号化工程と、
多重化手段が、前記色コード、前記可逆符号化工程により生成された位置情報の符号化データ、及び、前記非可逆符号化工程により生成された画像データの符号化データを多重化し、出力する多重化工程と
を備えることを特徴とする画像符号化装置の制御方法。
【請求項６】
コンピュータに読込ませ実行させることで、前記コンピュータを、請求項１乃至４のいずれか１項に記載の画像符号化装置の各手段として機能させることを特徴とするコンピュータプログラム。
【請求項７】
請求項６に記載のコンピュータプログラムを格納したことを特徴とするコンピュータ可読記憶媒体。
【手続補正２】
【補正対象書類名】明細書
【補正対象項目名】０００６
【補正方法】変更
【補正の内容】
【０００６】
この課題を解決するため、例えば本発明の画像符号化装置は以下の構成を備える。すなわち、
多値画像データを符号化する画像符号化装置であって、
符号化対象の多値画像データから、非可逆符号化の対象となるブロック単位の画像データを入力する入力手段と、
入力したブロックの画像データ中の、文字線画の画素の色を示す色情報を抽出する抽出手段と、
該抽出手段で抽出した色情報を、予めメモリに格納された参照テーブルを用いて色コードに変換する色コード変換手段と、
前記抽出手段で抽出した色情報に従い、注目ブロック内の文字線画の画素の位置と、非文字線画の画素の位置とを識別するための位置情報を生成する位置情報生成手段と、
該位置情報生成手段で生成された位置情報を可逆符号する可逆符号化手段と、
前記位置情報生成手段で生成された位置情報に従って、文字線画の画素の値を置換するため、非文字線画の画素の値の平均値を置換値として算出する置換値算出手段と、
注目ブロック内の文字線画の画素の値を、前記置換値で置換する置換手段と、
置換後のブロックの画像データを非可逆符号化する非可逆符号化手段と、
前記色コード、前記可逆符号化手段により生成された位置情報の符号化データ、及び、前記非可逆符号化手段により生成された画像データの符号化データを多重化し、出力する多重化手段とを備える。
【手続補正書】
【提出日】平成21年8月31日(2009.8.31)
【手続補正１】
【補正対象書類名】特許請求の範囲
【補正対象項目名】請求項５
【補正方法】変更
【補正の内容】
【請求項５】
前記第２の色変換手段は、色変換に用いる参照値をキャッシュするためのキャッシュ手段を備えることを特徴とする請求項１乃至３のいずれか１項に記載の画像処理装置。
【手続補正２】
【補正対象書類名】特許請求の範囲
【補正対象項目名】請求項７
【補正方法】変更
【補正の内容】
【請求項７】
コンピュータに実行させることで、前記コンピュータを、請求項１乃至５のいずれか１項に記載の画像処理装置として機能させることを特徴とするコンピュータプログラム。
【手続補正３】
【補正対象書類名】特許請求の範囲
【補正対象項目名】請求項１３
【補正方法】変更
【補正の内容】
【請求項１３】
前記第２の色変換手段は、色変換に用いる参照値をキャッシュするためのキャッシュ手段を備えることを特徴とする請求項９乃至１１のいずれか１項に記載の画像処理装置。
【手続補正４】
【補正対象書類名】特許請求の範囲
【補正対象項目名】請求項１５
【補正方法】変更
【補正の内容】
【請求項１５】
コンピュータに実行させることで、前記コンピュータを、請求項９乃至１３のいずれか１項に記載の画像処理装置として機能させることを特徴とするコンピュータプログラム。
【手続補正書】
【提出日】平成21年9月17日(2009.9.17)
【手続補正１】
【補正対象書類名】明細書
【補正対象項目名】００８０
【補正方法】変更
【補正の内容】
【００８０】
（ｃ）前記実施形態では、つまみ部材６３をつまみカバー６６とつまみ本体６７とに分割したが一体で形成してもよい。また、別体にする場合、つまみ金具を装着しやすくするために、たとえば繊維で強化されたポリアミド樹脂等の同じ材質を用いてもよい。

【手続補正２】
【補正対象書類名】図面
【補正対象項目名】図３
【補正方法】変更
【補正の内容】
【図３】
2008125409.tif 000001
【手続補正３】
【補正対象書類名】図面
【補正対象項目名】図４
【補正方法】変更
【補正の内容】
【図４】
2008125409.tif 000002
【手続補正４】
【補正対象書類名】図面
【補正対象項目名】図６
【補正方法】変更
【補正の内容】
【図６】
2008125409.tif 000003
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
絶縁体の表面に複数の帯状電極をシート材の搬送方向に間隔をあけて並設し、前記複数の電極を複数の電極群に分け、各電極群の電極をシート材の搬送方向に交互に配置した第一の固定子と、
絶縁体の表面に複数の帯状電極をシート材の搬送方向と直交する方向に間隔をあけて並設し、前記複数の電極を複数の電極群に分け、各電極群の電極をシート材の搬送方向と直交する方向に交互に配置した第二の固定子と、
前記各固定子の電極にそれぞれ異なる電圧を印加するための電源と、
前記電源から前記各固定子の電極に印加する前記異なる電圧を切り替え制御する制御手段と、を有し、
前記各固定子の電極が互いに直交して対向するように前記第一の固定子と前記第二の固定子とを対向させてシート材の搬送路を設けるとともに、
前記各固定子の各電極群に印加する前記異なる電圧を前記電極の並び方向に切り替えることでシート材を前記各固定子の電極の並び方向に搬送することを特徴とするシート材搬送装置。
【請求項２】
前記第一の固定子の電極への電圧の印加と、前記第二の固定子の電極への電圧の印加とを、時間毎に分割して行うことを特徴とする請求項１に記載のシート材搬送装置。
【請求項３】
シート材の搬送方向と直交する方向の位置ズレ量を検知する位置ズレ検知手段を有し、前記位置ズレ検知手段の検知結果に応じて前記第二の固定子の各電極群に印加する前記異なる電圧を切り替えて前記シート材を搬送方向と直交する方向に搬送することを特徴とする請求項１又は２に記載のシート材搬送装置。
【請求項４】
シート材に画像を形成する画像形成装置において、シート材を搬送するシート材搬送装置として前記請求項１乃至３のいずれか１項に記載のシート材搬送装置を有することを特徴とする画像形成装置。
【手続補正２】
【補正対象書類名】明細書
【補正対象項目名】０００８
【補正方法】変更
【補正の内容】
【０００８】
上記目的を達成するための本発明の代表的な構成は、絶縁体の表面に複数の帯状電極をシート材の搬送方向に間隔をあけて並設し、前記複数の電極を複数の電極群に分け、各電極群の電極をシート材の搬送方向に交互に配置した第一の固定子と、絶縁体の表面に複数の帯状電極をシート材の搬送方向と直交する方向に間隔をあけて並設し、前記複数の電極を複数の電極群に分け、各電極群の電極をシート材の搬送方向と直交する方向に交互に配置した第二の固定子と、前記各固定子の電極にそれぞれ異なる電圧を印加するための電源と、前記電源から前記各固定子の電極に印加する前記異なる電圧を切り替え制御する制御手段と、を有し、前記各固定子の電極が互いに直交して対向するように前記第一の固定子と前記第二の固定子とを対向させてシート材の搬送路を設けるとともに、前記各固定子の各電極群に印加する前記異なる電圧を前記電極の並び方向に切り替えることでシート材を前記各固定子の電極の並び方向に搬送することを特徴とする。
【手続補正３】
【補正対象書類名】明細書
【補正対象項目名】００１３
【補正方法】変更
【補正の内容】
【００１３】
１３はシート材Ｓを収納した手差しトレイ、１４，１５はそのピックアップローラ、１６はレジストローラである。１７はシート材Ｓを収納した給送カセット、１８，１９はそのピックアップローラ、２０は縦パスローラである。２１は回転ローラ、２２は二次転写ローラ、２３は定着器、２４は排出ローラ、２５は排出トレイである。
【手続補正４】
【補正対象書類名】明細書
【補正対象項目名】００１５
【補正方法】変更
【補正の内容】
【００１５】
一方、シート材Ｓは給送カセット１７もしくは手差しトレイ１３などから選択的に給送され、後述するシート材搬送装置２９によって静電力を利用して搬送され、レジストローラ１６で画像とのタイミングをとりつつ二次転写ローラ２２へ搬送される。その際、給送カセット１７から給送するピックアップローラ１８，１９、縦パスローラ２０、レジストローラ１６や、手差しトレイ１３から給送するピックアップローラ１４，１５などのシート材搬送部は、各々独立したステッピングモーターにより駆動される。これにより、高速で安定した搬送動作を実現することができる。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
第１の磁極及び第２の磁極が光軸と直交する第１の方向に形成された第１の面と前記第１の磁極及び第２の磁極が光軸と直交し且つ前記第１の方向と直交する第２の方向に形成された第２の面とを有するマグネット部材と、前記第１の面に対向するように配置された第１のコイルと、前記第２の面に対向するように配置された第２のコイルと、前記マグネット部材を保持する第１の部材と、前記第１のコイル及び第２のコイルを保持する第２の部材と、前記第１の部材及び第２の部材のうち一方に保持された光学素子又は光電変換素子と、を有する光学機器であって、
像振れを抑制するために、前記第１のコイルへの通電により前記第１の部材及び第２の部材が前記第１の方向に相対移動し、前記第２のコイルへの通電により前記第１の部材及び第２の部材が前記第２の方向に相対移動することを特徴とする光学機器。
【請求項２】
前記マグネット部材は、前記第１の面を有する第１のマグネットと、前記第２の面を有する第２のマグネットと、前記第１及び第２のマグネットの間に配置され、磁性材料により形成された中間部材とにより構成されていることを特徴とする請求項１に記載の光学機器。
【手続補正２】
【補正対象書類名】明細書
【補正対象項目名】発明の名称
【補正方法】変更
【補正の内容】
【発明の名称】光学機器
【手続補正３】
【補正対象書類名】明細書
【補正対象項目名】０００５
【補正方法】変更
【補正の内容】
【０００５】
本発明は、レンズ等の駆動対象物を２軸方向に駆動するための電磁アクチュエータを１つの領域にコンパクトにまとめて配置できるようにした光学機器を提供する。
【手続補正４】
【補正対象書類名】明細書
【補正対象項目名】０００６
【補正方法】変更
【補正の内容】
【０００６】
本発明の一側面としての光学機器は、第１の磁極及び第２の磁極が光軸と直交する第１の方向に形成された第１の面と第１の磁極及び第２の磁極が光軸と直交し且つ第１の方向と直交する第２の方向に形成された第２の面とを有するマグネット部材と、第１の面に対向するように配置された第１のコイルと、第２の面に対向するように配置された第２のコイルと、マグネット部材を保持する第１の部材と、前記第１のコイル及び第２のコイルを保持する第２の部材と、前記第１の部材及び第２の部材のうち一方に保持された光学素子又は光電変換素子と、を有する光学機器であって、
像振れを抑制するために、前記第１のコイルへの通電により前記第１の部材及び第２の部材が前記第１の方向に相対移動し、前記第２のコイルへの通電により前記第１の部材及び第２の部材が前記第２の方向に相対移動することを特徴とする光学機器。
【手続補正５】
【補正対象書類名】明細書
【補正対象項目名】００１３
【補正方法】変更
【補正の内容】
【００１３】
５は固定鏡筒１と後述するマウント鏡筒との間に固定されたシフトベース鏡筒である。以下、図１、図３Ａ及び図３Ｂも併せて参照しながら説明する。
【手続補正６】
【補正対象書類名】明細書
【補正対象項目名】００１４
【補正方法】変更
【補正の内容】
【００１４】
４はシフトベース鏡筒５によって固定保持された第１の駆動ヨークである。６は第１の駆動ヨーク４を介してシフトベース鏡筒５（第２の部材）に固定された第１の駆動コイル（第１のコイル）である。７は後述する駆動マグネットのピッチ方向Ｐの移動（位置）を検出するための位置センサとしての第１のホール素子であり、第１の駆動コイル６の内周に配置されてシフトベース鏡筒５に固定されている。
【手続補正７】
【補正対象書類名】明細書
【補正対象項目名】００１６
【補正方法】変更
【補正の内容】
【００１６】
９はシフトベース鏡筒５よりも像側に配置されたシフト鏡筒（第１の部材）であり、駆動マグネット８と第３レンズユニット（光学素子）Ｌ３を保持して、撮影光学系の光軸ＡＸＬに直交する方向に移動して、手振れに起因する像振れを抑制（補正）する。なお、本発明における防振装置においては、駆動対象物である光学素子の移動方向は光軸直交方向に限らず、光軸方向とは異なる方向であればよい。
【手続補正８】
【補正対象書類名】明細書
【補正対象項目名】００１８
【補正方法】変更
【補正の内容】
【００１８】
１２はシフトカバー１３によって固定保持された第２の駆動ヨークである。１０は第２の駆動ヨーク１２を介してシフトカバー１３に固定された第２の駆動コイル（第２のコイル）である。１１は駆動マグネット８のヨー方向の移動（位置）を検出するための位置センサとしての第２のホール素子であり、第２の駆動コイル１０の内周に配置され、シフトカバー１３（第２の部材）に固定されている。
【手続補正９】
【補正対象書類名】明細書
【補正対象項目名】００３７
【補正方法】変更
【補正の内容】
【００３７】
１０５は固定鏡筒１とマウント鏡筒１４との間に固定されたシフトベース鏡筒である。１０４はシフトベース鏡筒１０５によって固定保持された第１の駆動ヨークである。
【手続補正１０】
【補正対象書類名】明細書
【補正対象項目名】００３８
【補正方法】変更
【補正の内容】
【００３８】
１０８は第１の駆動ヨーク１０４に対して像側に間隔をあけてシフトベース鏡筒１０５に固定保持された駆動マグネットである。実施例１と同様に、駆動マグネット１０８の前面と背面のそれぞれは、Ｓ極とＮ極とが形成されるように着磁されている。また、前面側と背面側とではＳ極とＮ極の配置方向が互いに９０度異なっている。具体的には、図３Ａに示すように、前面側ではＳ極とＮ極がピッチ方向に配置され、図３Ｂに示すように、背面側ではＳ極とＮ極がヨー方向に配置されている。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、
所定の演出画像が表示される演出画像表示装置と、
前記遊技領域に設けられ、当該遊技領域を流下する遊技球を受け入れ可能な受入口と、
前記遊技領域に設けられ、遊技球の受け入れが不可能な閉鎖態様と遊技球の受け入れが可能な開放態様との間で変位可能な開閉装置と、
少なくとも一以上の特別領域および一以上の通常領域が周縁に沿って設けられると共に、一定の速度で回転することによって機械的な抽選処理を行う円形状の回転式役物と、
前記開閉装置に受け入れられた遊技球を、前記回転式役物の周縁に対向させることによって前記特別領域または前記通常領域に案内する案内装置と、
遊技の進行を制御する遊技制御手段と、
を備えた遊技機であって、
前記回転式役物は、
前記通常領域が、遊技球を受け入れ可能な通常選択口と、当該通常選択口に隣接し且つ当該通常選択口よりも先だって前記案内装置に対向する通常周壁と、から形成されると共に、
前記特別領域が、遊技球を受け入れ可能な特別選択口と、当該特別選択口に隣接し且つ当該特別選択口よりも先だって前記案内装置に対向する特別周壁と、
から形成されており、
前記遊技制御手段は、
前記演出画像表示装置にて表示される表示時間がそれぞれ異なる複数の演出画像を少なくとも記憶する演出画像記憶手段、
前記受入口への遊技球の通過または受け入れを検出する受入口検出手段、
前記受入口検出手段により前記受入口への遊技球の通過または受け入れがあった旨が検出されたことに基づいて内部的な抽選処理を行う抽選手段、
前記抽選手段による内部的な抽選処理に当選したことに応じて前記複数の演出画像のなかからいずれかの演出画像に選択決定する演出画像選択決定手段、
前記演出画像選択決定手段により選択決定された演出画像が前記演出画像表示装置にて表示されるように表示制御する演出画像表示制御手段、
前記開閉装置を、前記閉鎖態様と前記開放態様との間で変位させる開閉制御手段、
前記特別選択口に遊技球が受け入れられたことに基づいて、前記回転式役物による機械的な抽選処理に当選した旨を検出する役物抽選判断手段、および
少なくとも前記役物抽選判断手段によって当選した旨が検出されたことに基づいて遊技者に有利な特別遊技を行う特別遊技実行手段、
を有しており、
前記演出画像選択決定手段により選択決定された演出画像に応じた表示時間で前記演出画像表示装置に当該演出画像が表示されたのちに、前記開閉装置が前記閉鎖態様から前記開放態様に変位するとともに、当該開閉装置が当該開放態様に変位してから一定時間経過後に、前記案内装置が当該開閉装置から受け入れられた遊技球のうち１球のみを前記特別領域または前記通常領域に案内するものであって、
前記回転式役物は、
当該回転式役物の周縁に沿った前記特別選択口の開口長さが前記通常選択口の開口長さと同じかまたは大きいにも拘らず、当該回転式役物の周方向に沿った前記特別領域の領域長さが前記通常領域の領域長さよりも小さく形成されることで前記１球の遊技球が当該特別領域よりも当該通常領域に案内され易くされている
ことを特徴とする遊技機。
【請求項２】
前記１球の遊技球は、
前記演出画像表示装置にて前記複数の演出画像のうちで一の演出画像が表示された場合にのみ、前記特別領域に案内され得る
ことを特徴とする請求項１に記載の遊技機。
【請求項３】
前記特別選択口は、当該特別選択口の径方向深さが前記通常選択口の径方向深さよりも大きく形成されている
ことを特徴とする請求項１または請求項２に記載の遊技機。
【手続補正２】
【補正対象書類名】明細書
【補正対象項目名】０００８
【補正方法】変更
【補正の内容】
【０００８】
前記課題を解決するための本発明に係る遊技機は、遊技領域を有する遊技盤と、所定の演出画像が表示される演出画像表示装置と、前記遊技領域に設けられ、当該遊技領域を流下する遊技球を受け入れ可能な受入口と、前記遊技領域に設けられ、遊技球の受け入れが不可能な閉鎖態様と遊技球の受け入れが可能な開放態様との間で変位可能な開閉装置と、少なくとも一以上の特別領域および一以上の通常領域が周縁に沿って設けられると共に、一定の速度で回転することによって機械的な抽選処理を行う円形状の回転式役物と、前記開閉装置に受け入れられた遊技球を、前記回転式役物の周縁に対向させることによって前記特別領域または前記通常領域に案内する案内装置と、遊技の進行を制御する遊技制御手段と、を備えた遊技機であって、前記回転式役物は、前記通常領域が、遊技球を受け入れ可能な通常選択口と、当該通常選択口に隣接し且つ当該通常選択口よりも先だって前記案内装置に対向する通常周壁と、から形成されると共に、前記特別領域が、遊技球を受け入れ可能な特別選択口と、当該特別選択口に隣接し且つ当該特別選択口よりも先だって前記案内装置に対向する特別周壁と、から形成されており、前記遊技制御手段は、前記演出画像表示装置にて表示される表示時間がそれぞれ異なる複数の演出画像を少なくとも記憶する演出画像記憶手段、前記受入口への遊技球の通過または受け入れを検出する受入口検出手段、前記受入口検出手段により前記受入口への遊技球の通過または受け入れがあった旨が検出されたことに基づいて内部的な抽選処理を行う抽選手段、前記抽選手段による内部的な抽選処理に当選したことに応じて前記複数の演出画像のなかからいずれかの演出画像に選択決定する演出画像選択決定手段、前記演出画像選択決定手段により選択決定された演出画像が前記演出画像表示装置にて表示されるように表示制御する演出画像表示制御手段、前記開閉装置を、前記閉鎖態様と前記開放態様との間で変位させる開閉制御手段、前記特別選択口に遊技球が受け入れられたことに基づいて、前記回転式役物による機械的な抽選処理に当選した旨を検出する役物抽選判断手段、および、少なくとも前記役物抽選判断手段によって当選した旨が検出されたことに基づいて遊技者に有利な特別遊技を行う特別遊技実行手段、を有しており、前記演出画像選択決定手段により選択決定された演出画像に応じた表示時間で前記演出画像表示装置に当該演出画像が表示されたのちに、前記開閉装置が前記閉鎖態様から前記開放態様に変位するとともに、当該開閉装置が当該開放態様に変位してから一定時間経過後に、前記案内装置が当該開閉装置から受け入れられた遊技球のうち１球のみを前記特別領域または前記通常領域に案内するものであって、前記回転式役物は、当該回転式役物の周縁に沿った前記特別選択口の開口長さが前記通常選択口の開口長さと同じかまたは大きいにも拘らず、当該回転式役物の周方向に沿った前記特別領域の領域長さが前記通常領域の領域長さよりも小さく形成されることで前記１球の遊技球が当該特別領域よりも当該通常領域に案内され易くされていることを特徴とする。